(57)【要約】      （修正有）【課題】前回の旋回角度を記憶可能であるため、反射シートを迅速に必要の角度に旋回して、ヘッドアップディスプレイに利用可能な手動式反射シート装置を提供する。【解決手段】一側に第１の回転ブッシュ２０が設けられている台座１０と、底側に組合せ部６１が設けられており、組合せ部６１が第１の回転ブッシュ２０と結合する反射シート６０と、台座１０に設けられている角度調整モジュール５０と、第１の弾性部材１４２を備え、台座１０と第１の回転ブッシュ２０との間に設けられており、第１の弾性部材１４２の両端は、それぞれ台座１０と第１の回転ブッシュ２０とに位置決められており、第１の弾性部材１４２により、回復の弾力を提供する回転軸組１４と、を含む。【選択図】図１
0003202990.tif 000002
【実用新案登録請求の範囲】
【請求項１】
一側に第１の回転ブッシュが設けられている台座と、
底側に組合せ部が設けられており、前記組合せ部が前記第１の回転ブッシュと結合する反射シートと、
前記台座に設けられている角度調整モジュールと、
第１の弾性部材を備え、前記台座と前記第１の回転ブッシュとの間に設けられており、前記第１の弾性部材の両端は、それぞれ前記台座と前記第１の回転ブッシュとに位置決められており、前記第１の弾性部材により、回復の弾力を提供する回転軸組と、を含むことを特徴とする、
手動式反射シート装置。
【請求項２】
前記台座の一側の端面に第１の凹みが設けられており、前記第１の凹みにダンパーが締結されており、前記台座の他側に第２の回転ブッシュが設けられており、前記第２の回転ブッシュには、前記ダンパーを収容する収容空間が設けられており、前記収容空間の開口に凹みが少なくとも一つ設けられており、前記凹みは前記ダンパーと係止してダンパー効果を形成することを特徴とする、請求項１に記載の手動式反射シート装置。
【請求項３】
前記台座に第１の固定穴が設けられており、前記回転軸組は、ロック穴と、伸び軸と、を有し、前記ロック穴は前記第１の固定穴に固定されており、前記第１の弾性部材は前記回転軸組の前記伸び軸に嵌められており、前記伸び軸は、前記第１の回転ブッシュの第２の窪みに嵌め込まれていることを特徴とする、請求項１に記載の手動式反射シート装置。
【請求項４】
更に、底板を含み、前記底板は、前記台座の底部に設けられており、前記底板の下面に両面テープが設けられており、前記両面テープにより、車両のダッシュボードの上方の面に前記底板を貼り付けることが可能であることを特徴とする、請求項１に記載の手動式反射シート装置。
【請求項５】
前記台座の他側に第２の回転ブッシュが設けられており、前記角度調整モジュールは、調整蓋と、角度調整棒と、調整穴と、を含み、前記調整蓋は前記第１の回転ブッシュと前記第２の回転ブッシュとに固定されており、前記調整穴は前記台座に設けられており、前記角度調整棒は、前記調整穴にねじ込まれて、前記調整穴から伸び出して前記調整蓋の調整部に押し付けることにより、角度を規制する効果を有することを特徴とする、請求項１に記載の手動式反射シート装置。
【請求項６】
更に、解放モジュールを含み、前記解放モジュールは、第２の弾性部材が嵌め設けられている解放ボタンと、前記解放ボタンに嵌め設けられており、前記第２の弾性部材の前記解放ボタンの末端に位置し、前記解放ボタンと一体に移動可能な係合部材と、第３の弾性部材が嵌め設けられている係止軸と、を含み、前記係止軸は前記台座の第１の窪み内に設けられており、前記第３の弾性部材は、一端が前記第１の窪みに押し付け、他端が前記係止軸の中段に位置する凸縁に押し付け、前記係止軸は、前記第１の窪みの端部から延び出し、前記第１の窪みの外側へ付勢する弾力を有し、前記係合部材は、一端が前記解放ボタンと連接し、他端が前記解放ボタンに平行し前記係止軸の端部に押し付けることを特徴とする、請求項１に記載の手動式反射シート装置。
【請求項７】
上側に開口が設けられており、一側に第１の回転ブッシュが設けられている台座と、
底側に組合せ部が設けられており、前記組合せ部が前記第１の回転ブッシュと結合する反射シートと、
第１の弾性部材を備え、前記台座と前記第１の回転ブッシュとの間に設けられており、前記第１の弾性部材の両端は、それぞれ前記台座と前記第１の回転ブッシュとに位置決められており、前記第１の弾性部材により、回復の弾力を提供する回転軸組と、
前記開口に設けられている係止モジュールと、を含むことを特徴とする、
手動式反射シート装置。
【請求項８】
前記台座の一側の端面にダンパーが締結されており、前記台座の他側に第２の回転ブッシュが設けられており、前記第２の回転ブッシュには、前記ダンパーを収容する収容空間が設けられており、前記収容空間の開口に凹みが少なくとも一つ設けられており、前記凹みは前記ダンパーと係合してダンパー効果を形成することを特徴とする、請求項７に記載の手動式反射シート装置。
【請求項９】
前記台座に第１の固定穴が設けられており、前記回転軸組は、ロック穴と、伸び軸と、を有し、前記ロック穴は前記第１の固定穴に固定されており、前記第１の弾性部材は前記回転軸組の前記伸び軸に嵌められており、前記伸び軸は、前記第１の回転ブッシュの第２の窪みに嵌め込まれていることを特徴とする、請求項７に記載の手動式反射シート装置。
【請求項１０】
更に、底板を含み、前記底板は、前記台座の底部に設けられており、前記底板の下面に両面テープが設けられており、前記両面テープにより、車両のダッシュボードの上方の面に前記底板を貼り付けることが可能であることを特徴とする、請求項７に記載の手動式反射シート装置。
【請求項１１】
更に、水平調整モジュールを含み、前記水平調整モジュールは、水平固定棒と、規制台と、水平枢着台と、を含み、前記水平枢着台には、枢着凹みと、少なくとも一つの水平調整穴とが設けられており、前記規制台は前記水平枢着台の周りに設けられており、前記台座の底部に枢着ブロックが設けられており、前記枢着ブロックに枢着穴が設けられており、前記水平固定棒を前記水平調整穴と前記枢着ブロックの前記枢着穴とにねじ込むことにより、前記台座の水平角度を調整可能であることを特徴とする、請求項７に記載の手動式反射シート装置。
【請求項１２】
前記台座の他側に第２の回転ブッシュが設けられており、更に、角度調整モジュールを含み、前記角度調整モジュールは、調整蓋と、角度調整棒と、調整穴と、を含み、前記調整蓋は前記第１の回転ブッシュと第２の回転ブッシュとに固定されており、前記調整穴は前記台座に設けられており、前記角度調整棒は、前記調整穴にねじ込まれて、前記調整穴から伸び出して前記調整蓋の調整部に押し付けることにより、角度を規制する効果を有することを特徴とする、請求項７に記載の手動式反射シート装置。
【請求項１３】
前記係止モジュールには、係合部と、係り結合部とが設けられており、前記係合部は前記台座の開口に設けられており、前記係り結合部は調整蓋に設けられており、前記調整蓋は前記第１の回転ブッシュに固定されており、前記係り結合部は前記係合部と係合することにより、前記反射シートを閉じることが可能であることを特徴とする、請求項７に記載の手動式反射シート装置。
【考案の詳細な説明】
【技術分野】
【０００１】
本考案は、車両用の反射シートに関し、特に、前回の旋回角度を記憶可能であるため、反射シートを迅速に必要な角度に旋回して、ヘッドアップディスプレイに利用可能な手動式反射シート装置に関するものである。
【背景技術】
【０００２】
車両に利用されるヘッドアップディスプレイは、その技術が光学システムを採用し、投射器と透過型反射レンズとから構成されることが一般的である。
投射器は、信号光源と、投影レンズと、その他の光学部材と、から構成される。投射器の信号光源は、ＬＣＤ液晶ディスプレイ、又はＣＲＴ陰極線管などの装置から構成される。信号光源からの光線は、投射器を介して透過型反射レンズ（又は特製の透明スクリーン）に投射されて、透過型反射レンズに文字や映像が表示する。
【０００３】
自動車を運転しているときに、運転者の視線が前方からダッシュボードに移転するのに必要な時間は、少なくとも０．５秒である。このため、自動車の運転速度が速いほど、危険性が高い。自動車の運転者の注意を分散しないようにするために、自動車のダッシュボードにヘッドアップディスプレイを組み付ける自動車のメーカーがどんどん増えている。
【考案の概要】
【考案が解決しようとする課題】
【０００４】
本考案の主な目的は、反射シートの角度を記憶する機能を有する手動式反射シート装置を提供することにある。
【０００５】
本考案の次の目的は、台座の水平角度を調整するための水平調整モジュールを有する手動式反射シート装置を提供することにある。
【課題を解決するための手段】
【０００６】
本考案の手動式反射シート装置は、一側に第１の回転ブッシュが設けられている台座と、底側に組合せ部が設けられており、組合せ部が第１の回転ブッシュと結合する反射シートと、台座に設けられている角度調整モジュールと、第１の弾性部材を備え、台座と第１の回転ブッシュとの間に設けられており、第１の弾性部材の両端は、それぞれ台座と第１の回転ブッシュとに位置決められており、第１の弾性部材により、回復の弾力を提供する回転軸組と、を含むことを特徴とする。
【０００７】
本考案の手動式反射シート装置は、台座の一側の端面に第１の凹みが設けられており、第１の凹みにダンパーが締結されており、台座の他側に第２の回転ブッシュが設けられており、第２の回転ブッシュには、ダンパーを収容する収容空間が設けられており、収容空間の開口に凹みが少なくとも一つ設けられており、凹みはダンパーと係止してダンパー効果を形成することを特徴とする。
【０００８】
本考案の手動式反射シート装置は、台座に第１の固定穴が設けられており、回転軸組は、ロック穴と、伸び軸と、を有し、ロック穴は第１の固定穴に固定されており、第１の弾性部材は回転軸組の伸び軸に嵌められており、伸び軸は、第１の回転ブッシュの第２の窪みに嵌め込まれていることを特徴とする。
【０００９】
本考案の手動式反射シート装置は、更に、底板を含み、底板は、台座の底部に設けられており、底板の下面に両面テープが設けられており、両面テープにより、車両のダッシュボードの上方の面に底板を貼り付けることが可能であることを特徴とする。
【００１０】
本考案の手動式反射シート装置は、台座の他側に第２の回転ブッシュが設けられており、角度調整モジュールは、調整蓋と、角度調整棒と、調整穴と、を含み、調整蓋は第１の回転ブッシュと第２の回転ブッシュとに固定されており、調整穴は台座に設けられており、角度調整棒は、調整穴にねじ込まれて、調整穴から伸び出して調整蓋の調整部に押し付けることにより、角度を規制する効果を有することを特徴とする。
【００１１】
本考案の手動式反射シート装置は、更に、解放モジュールを含み、解放モジュールは、第２の弾性部材が嵌め設けられている解放ボタンと、解放ボタンに嵌め設けられており、第２の弾性部材の解放ボタンの末端に位置し、解放ボタンと一体に移動可能な係合部材と、第３の弾性部材が嵌め設けられている係止軸と、を含み、係止軸は台座の第１の窪み内に設けられており、第３の弾性部材は、一端が第１の窪みに押し付け、他端が係止軸の中段に位置する凸縁に押し付け、係止軸は、第１の窪みの端部から延び出し、第１の窪みの外側へ付勢する弾力を有し、係合部材は、一端が解放ボタンと連接し、他端が解放ボタンに平行し係止軸の端部に押し付けることを特徴とする。
【００１２】
本考案の手動式反射シート装置は、上側に開口が設けられており、一側に第１の回転ブッシュが設けられている台座と、底側に組合せ部が設けられており、組合せ部が第１の回転ブッシュと結合する反射シートと、第１の弾性部材を備え、台座と第１の回転ブッシュとの間に設けられており、第１の弾性部材の両端は、それぞれ台座と第１の回転ブッシュとに位置決められており、第１の弾性部材により、回復の弾力を提供する回転軸組と、開口に設けられている係止モジュールと、を含むことを特徴とする。
【００１３】
本考案の手動式反射シート装置は、台座の一側の端面にダンパーが締結されており、台座の他側に第２の回転ブッシュが設けられており、第２の回転ブッシュには、ダンパーを収容する収容空間が設けられており、収容空間の開口に凹みが少なくとも一つ設けられており、凹みはダンパーと係合してダンパー効果を形成することを特徴とする。
【００１４】
本考案の手動式反射シート装置は、台座に第１の固定穴が設けられており、回転軸組は、ロック穴と、伸び軸と、を有し、ロック穴は第１の固定穴に固定されており、第１の弾性部材は回転軸組の伸び軸に嵌められており、伸び軸は、第１の回転ブッシュの第２の窪みに嵌め込まれていることを特徴とする。
【００１５】
本考案の手動式反射シート装置は、更に、底板を含み、底板は、台座の底部に設けられており、底板の下面に両面テープが設けられており、両面テープにより、車両のダッシュボードの上方の面に底板を貼り付けることが可能であることを特徴とする。
【００１６】
本考案の手動式反射シート装置は、更に、水平調整モジュールを含み、水平調整モジュールは、水平固定棒と、規制台と、水平枢着台と、を含み、水平枢着台には、枢着凹みと、少なくとも一つの水平調整穴とが設けられており、規制台は水平枢着台の周りに設けられており、台座の底部に枢着ブロックが設けられており、枢着ブロックに枢着穴が設けられており、水平固定棒を水平調整穴と枢着ブロックの枢着穴とにねじ込むことにより、台座の水平角度を調整可能であることを特徴とする。
【００１７】
本考案の手動式反射シート装置は、台座の他側に第２の回転ブッシュが設けられており、更に、角度調整モジュールを含み、角度調整モジュールは、調整蓋と、角度調整棒と、調整穴と、を含み、調整蓋は第１の回転ブッシュと第２の回転ブッシュとに固定されており、調整穴は台座に設けられており、角度調整棒は、調整穴にねじ込まれて、調整穴から伸び出して調整蓋の調整部に押し付けることにより、角度を規制する効果を有することを特徴とする。
【００１８】
本考案の手動式反射シート装置は、係止モジュールには、係合部と、係り結合部とが設けられており、係合部は台座の開口に設けられており、係り結合部は調整蓋に設けられており、調整蓋は第１の回転ブッシュに固定されており、係り結合部は係合部と係合することにより、反射シートを閉じることが可能であることを特徴とする。
【考案の効果】
【００１９】
本考案の手動式反射シート装置によれば、前回の旋回角度を記憶可能であるため、反射シートを迅速に必要な角度に旋回して、ヘッドアップディスプレイに利用可能であるという効果を有する。
【図面の簡単な説明】
【００２０】
【図１】本考案の第１の実施形態を示す分解斜視図である。
【図２】本考案の第１の実施形態の使用状態を示す斜視図である。
【図３】本考案の第１の実施形態を別の視点から見た図である。
【図４】図３における４−４線の断面図である。
【図５】本考案の第１の実施形態を示す断面図である。
【図６】本考案の第２の実施形態の一部を示す分解斜視図である。
【図７】本考案の第２の実施形態の一部を別の視点から見た分解斜視図である。
【図８】本考案の第２の実施形態の一部を更に別の視点から見た分解斜視図である。
【図９】本考案の第２の実施形態の水平角度調整を示す図１である。
【図１０】本考案の第２の実施形態の水平角度調整を示す図２である。
【考案を実施するための形態】
【００２１】
以下、本考案の実施の形態を図面に基づいて説明する。
【００２２】
（第１の実施形態）
本実施形態に係る手動式反射シート装置は、図１から図６に示すように、台座１０を含む。台座１０の両側には、第１の回転ブッシュ２０と、第２の回転ブッシュ３０とが設けられている。台座１０と第１の回転ブッシュ２０と第２の回転ブッシュ３０との間には、解放モジュール４０と、角度調整モジュール５０とが設けられている。解放モジュール４０と角度調整モジュール５０により、台座１０と第１の回転ブッシュ２０と第２の回転ブッシュ３０とは、調整されて位置決め可能であり、又は特定の角度から解放されて調整可能である。
第１の回転ブッシュ２０と第２の回転ブッシュ３０とには、反射シート６０が結合されている。角度調整モジュール５０により、台座１０と第１の回転ブッシュ２０と第２の回転ブッシュ３０との相対的な角度を調整して位置決めると、反射シート６０を運転者にとって良い視角に保持可能である。
【００２３】
次に、本実施形態に係る手動式反射シート装置の構成を説明する。
【００２４】
台座１０は円形断面形状を有するロッドである。台座１０の一側の端面には、第１の凹み１１と、偏心装置の第１の窪み１２とが設けられている。二つの螺子Ｔにより、第１の凹み１１には、ギアを有するダンパー１１０が係合されている。台座１０の他側の端面の中心に第１の固定穴１３が設けられている。第１の固定穴１３には、図６に示すように、第１の回転ブッシュ２０の大径の端面に応じて第１の固定溝１３１が設けられている。第１の固定穴１３の小径の箇所には、ロック穴１４０と伸び軸１４１とを有する回転軸組１４が挿入されている。
二つの螺子Ｔを第１の固定穴１３の壁を挿通して回転軸組１４のロック穴１４０にねじ込むことにより、回転軸組１４の一端が台座１０に結合される。回転軸組１４の伸び軸１４１は、台座１０から突出し、第１の弾性部材１４２（捻りバネである）が嵌め設けられている。第１の弾性部材１４２は、第１の固定穴１３の大径の箇所に対応し、その両端が第１の固定穴１３と第１の回転ブッシュ２０とに押し付ける。
【００２５】
第１の回転ブッシュ２０の一側の端面の中央に第２の窪み２１が設けられている。第２の窪み２１に第２の固定溝２１１が設けられている。第２の窪み２１の内径のより小さい箇所には、回転軸組１４の伸び軸１４１が挿入されている。第１の弾性部材１４２は、第２の窪み２１の内径のより大きい箇所に収容される。
第１の回転ブッシュ２０の外周面に第１の嵌め凹み２２が少なくとも一つ設けられている。第１の回転ブッシュ２０の外周面には、第１の嵌め凹み２２のほぼ反対側に少なくとも一つの第１の差込穴２３と底面が平面状を呈する第１の組合せ空間２４とが設けられている。第１の組合せ空間２４の底面には、第１のピン２４０と、第２の固定穴２４１とが設けられている。
【００２６】
解放モジュール４０は、第２の弾性部材４１０（バネである）が嵌め設けられている解放ボタン４１と、解放ボタン４１に嵌め設けられており、第２の弾性部材４１０の解放ボタンの末端に位置し、解放ボタン４１と一体に移動可能な係合部材４２と、第３の弾性部材４３０（バネである）が嵌め設けられている係止軸４３と、を含む。
係止軸４３は台座１０の第１の窪み１２内に設けられている。第３の弾性部材４３０は、一端が第１の窪み１２に押し付け、他端が係止軸４３の中段に位置する凸縁に押し付ける。これにより、係止軸４３は、第１の窪み１２の端部から延び出し、第１の窪み１２の外側へ付勢する弾力を有する。係合部材４２は、一端が解放ボタン４１と連接し、他端が解放ボタン４１に平行し係止軸４３の端部に押し付ける。
【００２７】
第２の回転ブッシュ３０の一側には、解放ボタン４１が設けられている第２の凹み３１が設けられている。第２の回転ブッシュ３０の他側には、係合部材４２及びダンパー１１０を収容する収容空間３２が設けられている。収容空間３２の開口には、ダンパー１１０に設けられているギアと係合する凹み３２０が少なくとも一つ設けられている。凹み３２０はダンパー１１０と係合してダンパー効果を形成する。
収容空間３２の内周面の偏心箇所には、図４に示すように、係合部材４２を収容して係合する位置決め凹み３２１が設けられている。位置決め凹み３２１の開口端の延び方向には、係止軸４３の端部が差し込まれている。係止軸４３の端部は係合部材４２の端部に押し付ける。第２の回転ブッシュ３０の外周面には、少なくとも一つの第２の嵌め凹み３３と、第２の嵌め凹み３３の反対側に位置する、少なくとも一つの第２の差込穴３４と、底面が平面状を呈する第２の組合せ空間３５とが設けられている。第２の組合せ空間３５の底面には、第２のピン３５０と、第３の固定穴３５１とが設けられている。
【００２８】
角度調整モジュール５０は、調整蓋５１と、角度調整棒５２と、ねじ穴を有する調整穴５３と、を含む。角度調整棒５２は、調整穴５３にねじ込まれて、調整穴５３から伸び出して調整蓋５１の調整部５１０に押し付けることにより、角度を規制する効果を有する。
【００２９】
反射シート６０の底側には組合せ部６１が設けられている。組合せ部６１には、第１の組合せ空間２４の第１のピン２４０及び第２の固定穴２４１と、第２の組合せ空間３５の第２のピン３５０及び第３の固定穴３５１とに対応する貫通孔６１０が複数設けられている。各貫通孔６１０には、第１のピン２４０と第２のピン３５０とが挿通されている。これにより、反射シート６０を第１の回転ブッシュ２０と第２の回転ブッシュ３０とに確実に結合可能である。
【００３０】
底板７０は台座１０の底部に設けられている。
【００３１】
本実施形態では、底板７０には、両面テープ、又はその他の固定部材が設けられている。これにより、車両のダッシュボードの上方の面に底板７０を固定することが可能である。
【００３２】
次に、本考案に係る手動式反射シート装置の技術的手段を説明する。
回転軸組１４の伸び軸１４１が第１の回転ブッシュ２０の第２の窪み２１に差し込まれていることにより、第１の回転ブッシュ２０が台座１０の一側に固定される。伸び軸１４１の第１の弾性部材１４２の両端１４２１は、それぞれ台座１０の第１の固定溝１３１と、第１の回転ブッシュ２０の第２の固定凹み２１１とに位置決められている。これにより、第１の回転ブッシュ２０と第２の回転ブッシュ３０とは、本来の位置に戻す旋回力を有する。
【００３３】
第２の回転ブッシュ３０は、台座１０の第１の回転ブッシュ２０が設けられている側の反対側に固定されている。第２の回転ブッシュ３０内に位置する解放ボタン４１は第２の弾性部材４１０に付勢されることにより、係合部材４２が位置決め凹み３２１内に後退する状態が保持される。係合部材４２の他端が係止軸４３の端面に押し付けることにより、係止軸４３の端部が位置決め凹み３２１内に伸び込む。
【００３４】
調整蓋５１は、第１の嵌め部５１１と、第２の嵌め部５１２と、第１の差込部５１３と、を有する。調整蓋５１の第１の嵌め部５１１、第２の嵌め部５１２及び第１の差込部５１３は、第１の回転ブッシュ２０の第１の嵌め凹み２２及び第１の差込穴２３と、第２の回転ブッシュ３０の第２の嵌め凹み３３及び第２の差込穴３４とに弾性的に嵌め設けられている。これにより、調整蓋５１の両側は、それぞれ第１の回転ブッシュ２０と第２の回転ブッシュ３０とに弾性的に係止されている。
【００３５】
上記の構成によれば、台座１０の底部に底板７０が設けられており、底板７０が車両のダッシュボードの上方の面に貼り付けられているため、運転者は反射シート６０を介して車両のデータ及び情報を把握することが可能である。
本実施形態に係る手動式反射シート装置は、下記の三つの長所を有する。
【００３６】
一つ目は、図２に示すように、本実施形態が手動方式によって反射シート６０の角度を調整する。詳細には、角度調整棒５２と調整蓋５１の調整部５１０の接触位置を調整することにより、調整蓋６１の旋回角度を調整可能である。反射シート６０を旋回するときには、反射シート６０に締結されている調整蓋６１と第１の回転ブッシュ２０と第２の回転ブッシュ３０とが一斉に駆動される。反射シート６０の角度を調整して角度調整棒５２のねじ込み長さを増加することにより、調整蓋５１の調整部５１０、第１の回転ブッシュ２０及び第２の回転ブッシュ３０と反射シート６０の相対角度を固定可能である。
【００３７】
二つ目は、図３及び図４に示すように、本実施形態に係る手動式反射シート装置を利用したくないときには、反射シート６０を閉じる。このとき、解放モジュール４０の係止軸４３が、台座１０の第１の窪み１２から突出し、第２の回転ブッシュ３０の収容空間３２の位置決め凹み３２１内に伸び込むことにより、第２の回転ブッシュ３０が係止されて回転不能となる。
なお、本実施形態に係る手動式反射シート装置を利用したいときには、図５に示すように、解放モジュール４０の解放ボタン４１を押圧して、解放ボタン４１が係合部材４２を前へ押し付けることにより、係合部材４２の端部が係止軸４３を前へ押し付けて、係止軸４３が位置決め凹み３２１の開口から離れる。第１の弾性部材１４２の弾力により、調整蓋５１と反射シート６０とは、第１の回転ブッシュ２０と第２の回転ブッシュ３０との旋回と同期に旋回される。第２の回転ブッシュ３０に設けられている凹みがダンパー１１０のギアと係合するため、ダンパー１１０によるダンパー効果により、反射シート６０の旋回はスムーズで遅くなる。
【００３８】
三つ目は、反射シート６０が角度調整棒５２と調整部５１０との接触位置によって角度を調整するため、ユーザが一回目で反射シート６０の角度を調整した後、反射シート６０を閉じても、角度調整棒５２が一回目で調整された角度に保持する。これにより、反射シート６０を再度に利用したいときには、解放モジュール４０の解放ボタン４１を押圧すると、第１の弾性部材１４２の弾力により、第１の回転ブッシュ２０と第２の回転ブッシュ３０とが調整蓋５１と反射シート６０とを駆動して、調整蓋５１の調整部５１０が角度調整棒５２に押し付ける位置まで旋回する。換言すると、角度調整棒５２の位置を変更しない限り、反射シート６０を何回に旋回しても、反射シート６０の旋回角度が前回と同じである。すなわち、反射シート６０は角度記憶機能を有する。
【００３９】
（第２の実施形態）
本実施形態に係る手動式反射シート装置の説明は、第１の実施形態の技術的特徴と異なる点だけについて説明する。反射シート６０の角度を調整する方式が第１の実施形態と同じであるため、説明を省略する。
【００４０】
本実施形態では、図６から図１０に示すように、台座１０の底板７０に対応する箇所に切欠き１０００が設けられている。台座１０の上側と底側とには、開口１０１がそれぞれ設けられている。
【００４１】
第２の回転ブッシュ３０の第１の実施形態と異なる点は、第２の回転ブッシュ３０に解放モジュール４０が設けられておらず、第２の回転ブッシュ３０の一側に収容空間３２が設けられており、収容空間３２は台座１０の側面に固定されているダンパー１１０を収容し、収容空間３２の開口に凹み３２０が少なくとも一つ設けられており、凹み３２０がダンパー１１０に設けられているギアと係合することにより、ダンパー効果を形成することにある。
【００４２】
係止モジュール８０は、台座１０の開口１０１に設けられている。係止モジュール８０には、係合部８１と、係り結合部５４とが設けられている。係合部８１は台座１０の開口１０１に設けられている。係り結合部５４は、調整蓋５１の調整部５１０のベース部から、ベース部と垂直するように延びる。係り結合部５４は方形のキノコ状を呈する。
反射シートを利用したくないときには、調整蓋５１の係り結合部５４が係止モジュール８０の係合部８１と係合して結合する。なお、反射シートを利用したいときには、反射シート６０を押圧すると、調整蓋５１の係り結合部５４が係止モジュール８０の係合部８１から解放されて分離し、反射シート６０の係止が解放されて、回転軸組１４により反射シート６０が旋回し始める。第１の弾性部材１４２の弾力により、第１の回転ブッシュ２０と第２の回転ブッシュ３０とは調整蓋５１と反射シート６０とを駆動して旋回させる。
【００４３】
更に、底板７０に設けられている水平調整モジュール９０を含む。水平調整モジュール９０は、水平固定棒９１と、枢着ブロック１０２と、少なくとも一つの規制台９２と、水平枢着台９３と、を含む。
水平枢着台９３には、枢着凹み９３０と、少なくとも一つの水平調整穴９３１とが設けられている。規制台９２は、水平枢着台９３の周りに設けられており、台座１０の底縁１００と底板７０との止めに合わせることにより、図１０に示すように、台座１０の最大の傾斜角度を規制可能である。
【００４４】
枢着ブロック１０２は台座１０に設けられている。枢着ブロック１０２には、第１のねじ穴１０２０と、枢着穴１０２１とが設けられている。枢着ブロック１０２は、水平枢着台９３の枢着凹み９３０に枢着されている。水平固定棒９１は、水平調整穴９３１と枢着ブロック１０２の枢着穴１０２１とを挿通する。
水平固定棒９１を緩めることにより、枢着ブロック１０２が枢着凹み９３０に挟まられなくなるため、台座１０の水平枢着台９３に対する水平角度を調整可能である。台座１０を所要の水平角度に調整した後、図９及び図１０に示すように、水平固定棒９１をねじ込むことにより、枢着ブロック１０２が枢着凹み９３０に挟まられるようになるため、台座１０の水平枢着台９３に対する水平角度が固定される。
【００４５】
本考案は、ヘッドアップディスプレイに適用することができる。
【符号の説明】
【００４６】
１０  台座
１１  第１の凹み
１２  第１の窪み
１３  第１の固定穴
１４  回転軸組
２０  第１の回転ブッシュ
２１  第２の窪み
２２  第１の嵌め凹み
２３  第１の差込穴
２４  第１の組合せ空間
３０  第２の回転ブッシュ
３１  第２の凹み
３２  収容空間
３３  第２の嵌め凹み
３４  第２の差込穴
３５  第２の組合せ空間
４０  解放モジュール
４１  解放ボタン
４２  係合部材
４３  係止軸
５０  角度調整モジュール
５１  調整蓋
５２  角度調整棒
５３  調整穴
５４  係り結合部
６０  反射シート
６１  組合せ部
７０  底板
８０  係止モジュール
８１  係合部
９０  水平調整モジュール
９１  水平固定棒
９２  規制台
９３  水平枢着台
１００  底縁
１０１  開口
１０２  枢着ブロック
１１０  ダンパー
１３１  第１の固定溝
１４０  ロック穴
１４１  伸び軸
１４２  第１の弾性部材
２１１  第２の固定溝
２４０  第１のピン
２４１  第２の固定穴
３２０  凹み
３２１  位置決め凹み
３５０  第２のピン
３５１  第３の固定穴
４１０  第２の弾性部材
４３０  第３の弾性部材
５１０  調整部
５１１  第１の嵌め部
５１２  第２の嵌め部
５１３  第１の差込部
６１０  貫通孔
９３０  枢着凹み
９３１  水平調整穴
１０００  切欠き
１０２０  第１のねじ穴
１０２１  枢着穴
１４２１  両端
Ｔ  螺子
【図１】
0003202990.tif 000003
【図２】
0003202990.tif 000004
【図３】
0003202990.tif 000005
【図４】
0003202990.tif 000006
【図５】
0003202990.tif 000007
【図６】
0003202990.tif 000008
【図７】
0003202990.tif 000009
【図８】
0003202990.tif 000010
【図９】
0003202990.tif 000011
【図１０】
0003202990.tif 000012